(57)【要約】【課題】  現在多く使用されている、ポリ袋は、物品を詰めた後に縛り耳（０４）をもちいて、口元を縛ることが、可能であるが、詰め込んだ物品が、こぼれ落ちない、程度の対策であり、顆粒状なもの、液体を多く含んだ、布類等に対する、使用は適さない。【解決の手段】  本発明のフック（０９）に吊した、縛り紐付ポリ袋（図２）はアーム（０８）を閉じておいて、縛り紐端（０２）を引くことにより、袋の口元を縛ることが出来る（図８）縛び目は、そのまま、ゆるめることは、出来ないが、計り売りの場合の内容保証とか、液体の流出防止、悪臭発生物の密閉に大きな利点を有する、また搬送、保管も有利である。【選択図】図８
2013170009.tif 000002
【特許請求の範囲】
（イ）ポリ袋の縛り耳（０４）の先端近くに、縛り紐輪（０１）を袋の内側へ向けて、重ねておいて、縛り紐輪（０１）のむすび目近くの四方四点を熱溶着（０３）させる、次にその一方の内側を切断（０５）する、このように加工したものが、縛り紐付ポリ袋である（図２）
（ロ）縛り紐輪（０１）の部分を、パイプ支柱（０７）に差し込んだ状態で、ストックガイド（１２）内へ重ねたものを、予備袋（１０）として、用意しておく、
（ハ）必要に応じ、予備袋（１０）の上から、１８０°回転させて、アーム開位置（２２）の左右のフック（０９）へ吊す、言い変れば、ポリ袋の取手（０６）はアーム（０８）の内側から上面を通し下面にに設置したるフック（０９）に掛ける、（図４）
（ニ）物品を詰め込んだ後に、アーム（０８）を手作業（１９）によりアーム閉位置（２３）に移す、指先によって、縛り紐輪（０１）をパイプ支柱（０７）からアーム（０８）、フック（０９）、ポリ袋開口下限（１８）を通過させて、縛り紐端（０２）を左右に強く引張ることにより、縛ることが、出来る。（図８）
【発明の詳細な説明】
【発明の詳細な説明】
【技術分野】
【２１０１】  この発明は顆粒状なもの、穀物類の計り売り、液体を多く含んだ物品、悪臭を放つ廃棄物の処理に活用出来る、同形異種の種子、穀物等の、個別の保管や、搬送が可能である。
【背景技術】
【２１０２】  従来のポリ袋では、密閉することが、出来ない為、内容物によっては、搬送、積み重ね、保存等に利用出来ない。
【発明が解決しようとする課題】
【２１０３】  従来のポリ袋へ顆粒状なもの、液体を多く含んだ物等を一人で処理する場合、袋の口元を広げ投入することが困難である
【課題を解決する為の手段】
【２１０４】  いまその構成を説明する。
（イ）縛り紐輪（０１）の内径は、パイプ支柱（０７）を通すことが出来る大きさに造り、その輪を袋の内側に向け縛り耳（０４）の間に重ねておく、結び目近くの四方向、四点を熱溶着（０３）させる、一方を切断する（０５）取扱い時の結び目のほつれを防ぐ目的で溶着するが、その溶着が縛り紐に接触することは、縛付け時の紐のスルー機能を阻害するのでさけなければならない、（図２）
（ロ）初期準備として、アーム閉位置（２３）にしておき、縛り紐付ポリ袋（図２）の縛り紐輪（０１）を袋内側から反転させた、状態で、２組のフック（０９）、アーム（０８）を通し、中央の上部（メタルとハウジング（１１）、さらに、パイプ支柱（０７）まで差し込む。このように処理したる袋を、ストックガイド（１２）内に複数積み重ねて、予備袋（１０）として活用する、
（ハ）縛り紐付ポリ袋の活用は、手作業（１９）でアーム開位置（２２）に移動させておき、最上面にある、予備袋（１０）の一枚をパイプ支柱（０７）に対し１８０度反転させる、次にポリ袋の取手（０６）を、それぞれのアーム（０８）の内側から、フック（０９）へ掛ける、この場合の袋の縛り輪（０１）は上部メタルとハウジング（１１）部分へ残しておく。
（ニ）物品を袋へ詰め込む方法は図４のごとく、左手で切断（０５）された縛り耳（０４）軽く引張って実行する、
（ホ）縛り付けは、手作業（１９）によって、アーム（０８）をアーム閉位置（２３）に移動させる、上部メタルとハウジング（１１）部分に掛けておいた、縛り紐輪（０１）を指でつまんで、２本平行にしておいた、アーム（０８）からフック（０９）、さらに吊している、左右のポリ袋の取手（０６）を通す、ポリ袋開口下限（１８）を通過したる位置まで送り込む（図６）
（ヘ）縛り紐輪（０１）から伸び出している、左右２本の縛り紐端（０２）を垂平方向に強く、引張ることにより口元を縛ることが、出来る（図８）
【発明実施の形態】
【２１０５】（イ）本発明はポリ袋の取手（０６）をアーム（０８）の内側から外周３／４巻き付けて、フック（０９）へ掛けている。このことは、吊す位置を上げておき、上部メタルとハウジング（１１）部分へ残しておいた縛り紐輪（０１）の送り出し、を容易にする為である、（図３、図５）
（ロ）パイプ支柱（０７）を平行、垂直に貫通している、アーム（０８）の軸端にレバー（１６）を組付けている、そのレバー（１６）は側面の高さを変えることにより干渉を防ぐ、（図３）
（ハ）アーム開位置（２２）とアーム閉位置（２３）はレバー（１６）の外周に停止用Ｖ溝（２０）を施し、ボールプランジヤー（１７）の位置決メ機能を発生させている、さらに、ボールプランジヤー（１７）の外周ねじ部の側面を、メカストッパー（２１）として当り面を形成している。（図７）
（ニ）アーム（０８）は上部メタルとハウジング（１１）と下部メタルとハウジング（１５）によって構成されており、下方向に働くストップカラー（１４）とレバー（１６）の上端面により垂直方向の位置を保っている。
ストップカラー（１４）とレバー（１６）は六角穴付止メねじ（２４）により廻り止メの対策を行っている、レバー（１６）は平行キー（２５）と抜け止メに六角ボルト（２６）を使っている、
（ホ）パイプ支柱（０７）はベース（２７）上面にフランジ（１３）により組付けている、
【発明の効果】
【２１０６】  衛生上問題の有る、物質、又悪臭の発する物の処理等、ゴム手袋を着用したまま、速やかに扱うことが、出来る、正常な使用では、水道水ですら、縛り部から少し滲む程度の機密性がある。搬送、積み重ね、保存等広い活用が、見込まれる、
【産業上の利用可能性】
【２１０７】（イ）顆粒状なもの、錠剤等の測り売り売りを行う場合、結び目をゆるめることが、出来ない為内容保証を可能にする、
（ロ）嘔吐の恐れの有る、介護施設、学校の保健室、等の公共場所へ設置することも考えられる、
（ハ）大震災時の救援物資の配布用に利用出来る、
【図面の簡単な説明】
【図１】縛り紐輪（斜視図）
【図２】縛り紐付ポリ袋（斜視図）
【図３】全体側面図
【図４】ポリ袋開口装着図（ハンガー開位置平面図）
【図５】ポリ袋開口装着図（ハンガー開位置側面図）
【図６】縛り紐輪、送り出し図
【図７】アーム開閉動作とストッパー構造
【図８】口元縛り動作
【符号の説明】  １、縛り紐輪
２、縛り紐端
３、熱溶着
４、縛り耳
５、切断
６、ポリ袋取手
７、パイプ支柱
８、アーム
９、フック
１０、予備袋
１１、上部メタルとハウジング
１２、ストックガイド
１３、フランジ
１４、ストップカラー
１５、下部メタルとハウジング
１６、レバー
１７、ボールプランジヤー
１８、ポリ袋開口下限
１９、手作業
２０、停止Ｖ溝
２１、メカストッパー
２２、アーム開位置
２３、アーム閉位置
２４、六角穴付止メねじ
２５、平行キー
２６、六角ボルト
２７、ベース
【図１】
2013170009.tif 000003
【図２】
2013170009.tif 000004
【図３】
2013170009.tif 000005
【図４】
2013170009.tif 000006
【図５】
2013170009.tif 000007
【図６】
2013170009.tif 000008
【図７】
2013170009.tif 000009
【図８】
2013170009.tif 000010